(57)【要約】【課題】ユーザの機器使用可能性に応じて無駄な消費電力を削減することができる画像処理装置、電源制御方法、電源制御プログラム、及びそのプログラムを記録した記録媒体を提供する。【解決手段】画像処理装置１００は、ユーザの機器使用可能性に考慮した電源制御情報３２を生成する生成手段２２と、生成手段２２により生成した電源制御情報３２に基づき、電源装置に対して電源制御を行う実行手段２４と、を有することを特徴とする。【選択図】図３
2010154318.tif 000002
【特許請求の範囲】
【請求項１】
ユーザの機器使用可能性を考慮した電源制御情報を生成する生成手段と、
前記生成手段により生成した電源制御情報に基づき、電源装置に対して電源制御を行う実行手段と、を有することを特徴とする画像処理装置。
【請求項２】
当該画像処理装置は、
予定に関するデータが定義されるスケジュール情報を取得する取得手段を有し、
前記生成手段は、
前記取得手段により取得したスケジュール情報に基づき、前記電源制御情報を生成することを特徴とする請求項１に記載の画像処理装置。
【請求項３】
前記生成手段は、
前記スケジュール情報に対して所定のデータ操作を行い、
当該画像処理装置が使用される可能性の高い時間帯及び／又は使用される可能性の低い時間帯に関するデータを抽出し、抽出したデータを基に前記電源制御情報を生成することを特徴とする請求項１又は２に記載の画像処理装置。
【請求項４】
前記生成手段は、
前記所定のデータ操作において、
複数のスケジュール情報それぞれに定義された予定に関するデータから、全ての予定に共通する時間帯に関するデータを抽出することを特徴とする請求項３に記載の画像処理装置。
【請求項５】
前記生成手段は、
前記所定のデータ操作において、
複数のスケジュール情報それぞれに定義された予定に関するデータから、予定として定義された全ての時間帯に関するデータを抽出することを特徴とする請求項３又は４に記載の画像処理装置。
【請求項６】
前記生成手段は、
前記所定のデータ操作において、
前記スケジュール情報に定義された予定以外の時間帯に関するデータを抽出することを特徴とする請求項３ないし５のいずれか一項に記載の画像処理装置。
【請求項７】
前記生成手段は、
前記所定のデータ操作において、
前記スケジュール情報に定義された予定の属性データを指定し、指定属性に該当する時間帯に関するデータを抽出することを特徴とする請求項３ないし６のいずれか一項に記載の画像処理装置。
【請求項８】
前記実行手段は、
前記生成手段により生成した電源制御情報に含まれる、当該画像処理装置が使用される可能性の高い時間帯及び／又は使用される可能性の低い時間帯に関するデータの時刻データに従って、前記電源装置に対して電源制御を行うことを特徴とする請求項１ないし７のいずれか一項に記載の画像処理装置。
【請求項９】
前記取得手段は、
前記スケジュール情報として、
ユーザの予定が定義されたユーザスケジュール情報、
ユーザが属するグループの予定が定義されたグループスケジュール情報、
会社全体で取り決められた予定が定義されたオフィシャルスケジュール情報、及び／又は、
当該画像処理装置を含む機器のメンテナンス予定が定義されたメンテナンススケジュール情報を、当該画像処理装置に所定のデータ伝送路で接続される外部装置から取得することを特徴とする請求項２ないし８のいずれか一項に記載の画像処理装置。
【請求項１０】
画像処理装置における電源制御方法であって、
ユーザの機器使用可能性を考慮した電源制御情報を生成する生成手順と、
前記生成手順により生成した電源制御情報に基づき、電源装置に対して電源制御を行う実行手順と、を有することを特徴とする電源制御方法。
【請求項１１】
画像処理装置における電源制御プログラムであって、
コンピュータを、
ユーザの機器使用可能性を考慮した電源制御情報を生成する生成手段と、
前記生成手段により生成した電源制御情報に基づき、電源装置に対して電源制御を行う実行手段として機能させる電源制御プログラム。
【請求項１２】
請求項１１に記載のプログラムを記録した、コンピュータが読み取り可能な記録媒体。
【発明の詳細な説明】
【技術分野】
【０００１】
本発明は、画像処理装置に関し、特に、電源制御を行う技術に関するものである。
【背景技術】
【０００２】
近年、省エネルギー化（グリーン化とも言う）をより進める傾向が顕著になってきている。その背景には、ＣＯ２の削減など環境対策やエネルギーコスト削減などが、企業内で積極的に取り組まれるようになったことが挙げられる。
【０００３】
そのため、画像処理装置は、例えばエネルギースター（Energy Star）などの消費電力基準を満たすように設計され、さらに、電力消費量を低減するために、例えば特許文献１に開示されるような電源制御機能を有している。
【０００４】
特許文献１には、入室管理システムと連動して電源のオン／オフを制御する画像処理装置が開示されている。
【特許文献１】特開平０２−９０１８０号公報
【発明の開示】
【発明が解決しようとする課題】
【０００５】
しかしながら、従来の電源制御では、実際の業務におけるユーザの機器使用可能性について十分に考慮されていない。
【０００６】
上記特許文献１に開示される画像処理装置は、入室者が居なくなったときに電源がオフされる。このような画像処理装置では、例えば、入室者全員が離席し、同室内の会議室でグループミーティングを行うといった場合、その間、室内に設置された画像処理装置が使用される可能性が低い。そのため、画像処理装置は、無駄に電力を消費していることになる。
【０００７】
このように、従来の電源制御では、電源のオン／オフ（通常モード／省エネモード）を行うタイミングが、使用が想定されるユーザの予定（スケジュール）を考慮して行われていない。そのため、電源制御が大まかに行われていることになり、必ずしも最適な電源制御と言えない。
【０００８】
本発明は上記従来技術の問題点を鑑み提案されたものであり、その目的とするところは、ユーザの機器使用可能性に応じて無駄な消費電力を削減することができる画像処理装置、電源制御方法、電源制御プログラム、及びそのプログラムを記録した記録媒体を提供することにある。
【課題を解決するための手段】
【０００９】
上記目的を達成するため、本発明にあっては、ユーザの機器使用可能性を考慮した電源制御情報を生成する生成手段と、前記生成手段により生成した電源制御情報に基づき、電源装置に対して電源制御を行う実行手段と、を有することを要旨としている。
【００１０】
また、上記目的を達成するため、本発明に係る画像処理装置は、予定に関するデータが定義されるスケジュール情報を取得する取得手段を有し、前記生成手段が、前記取得手段により取得したスケジュール情報に基づき、前記電源制御情報を生成する。
【００１１】
また、上記目的を達成するため、本発明に係る画像処理装置は、前記生成手段が、前記スケジュール情報に対して所定のデータ操作を行い、当該画像処理装置が使用される可能性の高い時間帯及び／又は使用される可能性の低い時間帯に関するデータを抽出し、抽出したデータを基に前記電源制御情報を生成する。
【００１２】
また、上記目的を達成するため、本発明に係る画像処理装置は、前記生成手段が、前記所定のデータ操作において、複数のスケジュール情報それぞれに定義された予定に関するデータから、全ての予定に共通する時間帯に関するデータを抽出する。
【００１３】
また、上記目的を達成するため、本発明に係る画像処理装置は、前記生成手段が、前記所定のデータ操作において、複数のスケジュール情報それぞれに定義された予定に関するデータから、予定として定義された全ての時間帯に関するデータを抽出する。
【００１４】
また、上記目的を達成するため、本発明に係る画像処理装置は、前記生成手段が、前記所定のデータ操作において、前記スケジュール情報に定義された予定以外の時間帯に関するデータを抽出する。
【００１５】
また、上記目的を達成するため、本発明に係る画像処理装置は、前記生成手段が、前記所定のデータ操作において、前記スケジュール情報に定義された予定の属性データを指定し、指定属性に該当する時間帯に関するデータを抽出する。
【００１６】
また、上記目的を達成するため、本発明に係る画像処理装置は、前記実行手段が、前記生成手段により生成した電源制御情報に含まれる、当該画像処理装置が使用される可能性の高い時間帯及び／又は使用される可能性の低い時間帯に関するデータの時刻データに従って、前記電源装置に対して電源制御を行う。
【００１７】
また、上記目的を達成するため、本発明に係る画像処理装置は、前記取得手段が、前記スケジュール情報として、ユーザの予定が定義されたユーザスケジュール情報、ユーザが属するグループの予定が定義されたグループスケジュール情報、会社全体で取り決められた予定が定義されたオフィシャルスケジュール情報、及び／又は、当該画像処理装置を含む機器のメンテナンス予定が定義されたメンテナンススケジュール情報を、当該画像処理装置に所定のデータ伝送路で接続される外部装置から取得する。
【００１８】
このような構成によって、本発明に係る画像処理装置は、ユーザ、グループ、オフィシャルといった複数のスケジュール情報から、ユーザの機器使用可能性を考慮した電源制御情報を生成する。続いて、生成された電源制御情報に設定される時刻データに従って、電源制御の実行（通常モード／省エネモードへの移行）を指示する。
【００１９】
これによって、本発明に係る画像処理装置は、ユーザの機器使用可能性に応じて無駄な消費電力を削減し、機器全体の電力消費量を低減することができることができる。
【００２０】
上記目的を達成するため、本発明に係る電源制御方法は、画像処理装置における電源制御方法であって、ユーザの機器使用可能性を考慮した電源制御情報を生成する生成手順と、前記生成手順により生成した電源制御情報に基づき、電源装置に対して電源制御を行う実行手順と、を有することを特徴とする。
【００２１】
このような手順によって、本発明に係る電源制御方法は、ユーザ、グループ、オフィシャルといった複数のスケジュール情報から、ユーザの機器使用可能性を考慮した電源制御情報を生成し、生成した電源制御情報に設定される時刻データに従って、電源制御の実行（通常モード／省エネモードへの移行）を指示すると言う動作を実現する。
【００２２】
これによって、本発明に係る電源制御方法は、ユーザの機器使用可能性に応じて無駄な消費電力を削減し、機器全体の電力消費量を低減することが可能な環境を提供できる。
【発明の効果】
【００２３】
本発明によれば、ユーザの機器使用可能性に応じて無駄な消費電力を削減可能な画像処理装置、電源制御方法、電源制御プログラム、及びそのプログラムを記録した記録媒体を提供することができる。
【発明を実施するための最良の形態】
【００２４】
以下、本発明の好適な実施の形態（以下、「実施形態」という。）について、図面を用いて詳細に説明する。
【００２５】
［第１の実施形態］
＜ハードウェア構成＞
まず、本実施形態に係る画像処理装置１００のハードウェア構成について説明する。図１は、本実施形態に係る画像処理装置１００のハードウェア構成例を示す図である。
【００２６】
図１に示すように、画像処理装置１００は、操作パネル１１、外部記憶Ｉ／Ｆ１２、コントローラ１３、データ通信Ｉ／Ｆ１４、ＨＤＤ（Hard Disk Drive）１１０、スキャナ１５、及びプロッタ１６を有し、それぞれがバスで相互に接続されている。
【００２７】
操作パネル１１は、入力装置１０１と表示装置１０２とを有しており、入力装置１０１は、ハードウェアキーなどで構成され、当該画像処理装置１００に各操作信号を入力するのに用いられる。また、表示装置１０２は、ディスプレイなどで構成され、例えば動作条件などの画像処理動作に関する各種情報を表示する。
【００２８】
データ通信Ｉ／Ｆ１４は、インタフェース装置１０９を有しており、当該画像処理装置１００を、有線及び／又は無線回線などデータ通信網に接続するインタフェースである。
【００２９】
ＨＤＤ１１０は、当該画像処理装置１００で取り扱われる画像データなどの各種データを格納する。また、ＨＤＤ１１０は、これらの各種データを、所定のファイルシステムやＤＢ（Data Base）により管理する。
【００３０】
外部記憶Ｉ／Ｆ１２は、例えばＳＤメモリカード（SD Memory Card）やＵＳＢメモリ（Universal Serial Bus Memory）を含むフラッシュメモリなどの記録媒体１０４を、当該画像処理装置１００に接続するためのインタフェースである。この外部記憶Ｉ／Ｆ１２によって、当該画像処理装置１００と記録媒体１０４との間でデータのやり取りが行える。例えば、記録媒体１０４は、アプリケーションプログラムなどをインストールするときに利用する。
【００３１】
コントローラ１３は、ＲＯＭ（Read Only Memory）１０５、ＲＡＭ（Random Access Memory）１０６、ＮＶ−ＲＡＭ（Non Volatile RAM）１０７、及びＣＰＵ（Central Processing Unit）１０８を有している。
【００３２】
ＲＯＭ１０５は、当該画像処理装置１００全体を制御する基本ソフトウェアやアプリケーションソフトウェアなどの各種プログラム及びデータを格納する。また、ＲＡＭ１０６は、ＲＯＭ１０５やＨＤＤ１１０から読み出されたプログラムやデータを一時保持する。ＮＶ−ＲＡＭ１０７は、画像形成動作を制御するための初期設定値などのデータを格納する。さらにＣＰＵ１０８は、ＲＡＭ１０６上に読み出されたプログラムを実行する。コントローラ１３は、上記構成により、ＲＯＭ１０５からＲＡＭ１０６上に読み出された基本ソフトウェアプログラムをＣＰＵ１０８により実行し、当該画像処理装置１００全体を制御する。
【００３３】
スキャナ１５は、画像読取装置１１１を有し、読み取り面上の原稿を光学的に読み取り画像データを生成する。プロッタ１６は、タンデム方式の印刷装置１１２を有し、例えば電子写真方式によって、コントローラ１３から転送されたビットマップイメージを用紙に印刷する。なお、画像形成方式については、電子写真方式に限らない。
【００３４】
ファクシミリ（非図示）は、上記プロッタ１６及び上記データ通信Ｉ／Ｆ１４により実現される。ファクシミリは、データ通信Ｉ／Ｆ１４によりファックスデータを受信し、プロッタ１６により受信データを印刷する。
【００３５】
電源装置（非図示）は、上記ハードウェアに対して所定の電力を供給する装置である。なお、電源装置は、当該画像処理装置１００に備えられていてもよいし、当該画像処理装置１００に外部から電力供給を行う構成であってもよい。
【００３６】
このように、本実施形態に係る画像処理装置１００では、コントローラ１３のＲＡＭ１０６に読み出された所定のプログラムがＣＰＵ１０８で実行され、当該装置が備える各インタフェースから入力されたデータに対して要求された画像処理を行う。
【００３７】
なお、上記ハードウェア構成は、本実施形態に係る画像処理装置１００が複合機（ＭＦＰ：Multifunction Peripheral）である場合の例である。本実施形態に係る画像処理装置１００は、複合機以外にも、プリンタ、ファクシミリ、スキャナと言った装置も含まれる。ただし、以降の説明では、便宜上、複合機を例に挙げる。
【００３８】
＜動作環境＞
次に、上記画像処理装置１００の動作環境について説明する。図２は、本実施形態に係る画像処理装置１００の動作環境例を示す図である。
【００３９】
図２に示すように、本実施形態に係る画像処理装置１００の動作環境には、２通りの環境が主な例として挙げられる。まず図２（Ａ）に示すような、１台又は複数のクライアントＰＣ（Personal Computer）２００（以下、単に「ＰＣ」と言う。）と、所定のデータ伝送路で相互に接続される動作環境である。
【００４０】
このような動作環境の場合、例えば画像処理装置１００は、接続された複数のＰＣ２００ｎから、ユーザの予定が定義されたスケジュール情報を取得する。
【００４１】
次に、図２（Ｂ）に示すような、スケジュール情報を管理するスケジュール管理装置３００と、所定のデータ伝送路で相互に接続される動作環境である。
【００４２】
このような動作環境の場合、例えば画像処理装置１００は、接続されたスケジュール管理装置３００から、ユーザ単位、グループ単位、及びオフィシャル単位で各種スケジュール情報を取得する。
【００４３】
このように、画像処理装置１００では、ユーザ端末であるＰＣ２００や管理サーバであるスケジュール管理装置３００から、ユーザの機器利用可能性を判断するための動的情報として各種スケジュール情報を取得することができる。
【００４４】
なお、上記動作環境は、各種スケジュール情報を保持する装置としてＰＣ２００やスケジュール管理装置３００の一例を挙げたが、この限りでない。例えば、各種サーバやモバイル端末（例えば「ＰＤＡ（Personal Digital Assistant）」や「携帯電話」など）を含む任意の情報処理装置であってもよい。
【００４５】
＜電源制御機能＞
ここからは、本実施形態に係る画像処理装置１００が有する電源制御機能について詳しく説明する。
【００４６】
本実施形態に係る画像処理装置１００では、ユーザ単位、グループ単位、オフィシャル単位といった複数のスケジュール情報から、ユーザの機器使用可能性を考慮した電源制御情報を生成する。続いて、生成された電源制御情報に設定される時刻データに従って、電源制御の実行（通常モード／省エネモードへの移行）を指示する。このような電源制御機能を有している。
【００４７】
近年、通信技術の高度化や情報端末の小型化などに伴い、日常業務におけるユーザのスケジュール管理は、所定の管理ツールを用いて行われるようになった。そのメリットとして、自身の予定を業務メンバーに公開するなど、互いのスケジュールを共有できる点である。これにより、より効率的な業務遂行を行うことができる。
【００４８】
そこで、画像処理装置１００では、これらの電子化された各種スケジュール情報から、機器が使用される可能性の高い時間帯／使用される可能性の低い時間帯それぞれを抽出し、自機の電源制御を行う。すなわち、機器が使用される可能性が高い時間帯では、電源を通常モード状態へ切り換え、一方、機器が使用される可能性が低い時間帯では、電源を省エネモード状態へ切り換える。
【００４９】
これによって、ユーザの機器使用可能性に応じて無駄な消費電力を削減することができる。その結果、機器全体の電力消費量を低減することができる。
【００５０】
では、上記電源制御機能の構成とその動作について説明する。
【００５１】
《機能構成》
図３は、本実施形態に係る電源制御機能の構成例を示す図である。なお、図３には、図２（Ｂ）に示した動作環境における機能構成例が示されている。
【００５２】
図３に示すように、画像処理装置１００は、スケジュール情報取得部２１、電源制御情報生成部２２、及び電源制御実行部２４を含む電源制御部２０を有している。
【００５３】
このように、本実施形態に係る電源制御機能は、上記各機能部が連係動作することにより実現される。
【００５４】
以下に、上記電源制御機能が有する各機能部について詳しく説明する。
【００５５】
（スケジュール情報の収集）
スケジュール情報取得部２１は、ＰＣ２００やスケジュール管理装置３００といった外部装置から、各種スケジュール情報３１を取得する機能部である。
【００５６】
スケジュール情報取得部２１は、外部装置に対してスケジュール情報３１の取得要求を行うことで情報を取得する。
【００５７】
具体的には、予め設定しておいた、各種スケジュール情報３１を保持する各外部装置の識別情報（例えば「ＩＰアドレス」など）に基づき、各外部装置へスケジュール情報３１の取得を要求する。このとき、要求先の外部装置が、画像処理装置１００とデータ通信可能な状態か否かを所定のコマンド（例えば「ｐｉｎｇ」など）を用いて確認し、その応答に応じて情報要求を行う。
【００５８】
また、各外部装置から取得可能なスケジュール情報３１については、予め外部装置の識別情報と対応付けて管理しておき、情報取得時に、外部装置ごとに取得したいスケジュール情報３１を指定する。
【００５９】
さらに、スケジュール情報３１の取得タイミングは、所定の時間間隔に従って定期的に行う。つまりポーリング処理を行う。なお、外部装置がスケジュールの変更に応じて、その旨を他機に通知する機能を有していれば、そのスケジュール変更通知に基づいて行ってもよい。
【００６０】
このように、画像処理装置１００では、スケジュール情報取得部２１により、上記方法で、各種スケジュール情報３１を取得する。
【００６１】
ここで、以下に、画像処理装置１００が取得する各種スケジュール情報３１の例を挙げる。
【００６２】
・ユーザスケジュール情報
ユーザスケジュール情報３１ｕとは、例えば休暇の予定、デスクワークの予定、及び社外打ち合わせなどの外出予定など、ユーザのスケジュールが定義された情報である。情報の構成要素は、開始・終了時刻［Time］、遂行場所［Location］などである。
【００６３】
・グループスケジュール情報
グループスケジュール情報３１ｇとは、例えば会議開催の予定など、複数のユーザが属するグループのスケジュールが定義された情報である。情報の構成要素は、ユーザスケジュール情報３１ｕと同様である。
【００６４】
・オフィシャルスケジュール情報
オフィシャルスケジュール情報３１ｏとは、例えば始業・終業時刻、休日、フレッシュアップディーなど、会社全体で取り決められたスケジュールが定義された情報である。情報の構成要素は、開始・終了時刻［Time］などである。
【００６５】
・メンテナンススケジュール情報
メンテナンススケジュール情報３１ｍとは、画像処理装置１００のメンテナンス予定など、機器を稼動状態とする必要があるスケジュールが定義された情報である。情報の構成要素は、開始・終了時刻［Time］、実行対象機器［Summary］などである。
【００６６】
このように、上記スケジュール情報３１には、開始・終了時刻［Time］により定義された１つ又は複数のスケジュール（時間帯）が含まれている。
【００６７】
（電源制御情報の生成）
電源制御情報生成部２２は、上記スケジュール情報取得部２１により取得した各種スケジュール情報３１に基づき、ユーザの機器使用可能性を考慮した電源制御情報３２を生成する。つまり、各種スケジュール情報３１から、機器が使用される可能性の高い時間帯及び／又は使用される可能性の低い時間帯に関する情報を抽出し、自機の電源制御を行うための制御情報３２を生成する。
【００６８】
そこで、電源制御情報生成部２２は、所定のデータ操作により、スケジュール情報３１から時間帯に関する情報を抽出し、抽出した情報を基に電源制御情報３２を生成する。
【００６９】
以下に、電源制御情報生成部２２が行うデータ操作について、図４を用いて説明する。
【００７０】
図４は、本実施形態に係るスケジュール情報３１のデータ操作例を示す図である。図４には、ＡＮＤ（∩）、ＯＲ（∪）、ＮＯＴ（¬）、及びフィルタリング操作の演算例が示されている。本実施形態に係るデータ操作は、１つ又は複数のオペランドに対して上記各演算子を用いて行う。よって、スケジュール情報３１が上記オペランドにあたる。
【００７１】
上述したように、スケジュール情報３１は、開始・終了時刻［time］により定義された１つ又は複数のスケジュールを含む。よって、本実施形態に係るデータ操作では、１つの開始・終了時刻［time］により定義されたスケジュールをオペランドとする演算だけでなく、複数の開始・終了時刻［time］により定義されたスケジュールの集合をオペランドとする演算を行うことができる。この場合、スケジュールの集合が演算結果として得られる。
【００７２】
・ＡＮＤ操作
電源制御情報生成部２２は、複数のスケジュール情報３１それぞれに定義されたスケジュールにおいて、共通する時間帯を抽出する。これをＡＮＤ操作（積集合）という。図４（Ａ）には、スケジュール１が定義されたスケジュール情報３１１と、スケジュール１と一部時間帯が共通するスケジュール２が定義されたスケジュール情報３１２とが示されている。この場合、ＡＮＤ操作を行うと、スケジュール１とスケジュール２との共通時間帯として、スケジュール３が抽出される。
【００７３】
（ＡＮＤ操作）  スケジュール１  ∩  スケジュール２
このようなデータ操作は、例えば、複数のユーザスケジュール情報３１ｕに対して行うことにより、複数のユーザがデスクワークを行う時間帯などのような、機器の使用可能性が高い時間帯を抽出することができる。
【００７４】
・ＯＲ操作
電源制御情報生成部２２は、複数のスケジュール情報３１それぞれに定義されたスケジュールにおいて、全ての時間帯を抽出する。これをＯＲ操作（和集合）という。図４（Ｂ）には、スケジュール１が定義されたスケジュール情報３１１と、スケジュール１と異なる開始・終了時間のスケジュール２が定義されたスケジュール情報３１２とが示されている。この場合、ＯＲ操作を行うと、スケジュール１とスケジュール２とに定義された全ての時間帯が、スケジュール３及びスケジュール４として抽出される。
【００７５】
（ＯＲ操作）  スケジュール１  ∪  スケジュール２
このようなデータ操作は、例えば、複数のグループスケジュール情報３１ｇに対して行うことにより、会議の時間帯などのような、機器の使用可能性が低い時間帯を抽出することができる。
【００７６】
・ＮＯＴ操作
電源制御情報生成部２２は、スケジュール情報３１に定義されたスケジュールの時間帯以外の全ての時間（例えば「予定されていない全ての時間帯」など）を抽出する。これをＮＯＴ操作（否定）という。図４（Ｃ）には、スケジュール１が定義されたスケジュール情報３１が示されている。この場合、ＮＯＴ操作を行うと、スケジュール１に予定として定義された時間帯以外の全ての時間が、スケジュール２及びスケジュール３として抽出される。
【００７７】
（ＮＯＴ操作）  ¬  スケジュール１
このようなデータ操作は、例えば、メンテナンススケジュール情報３１ｍに対して行うことにより、メンテナンスを実行する時間帯を除く、機器の電源制御を行うことが可能な時間帯を抽出することができる。
【００７８】
・フィルタリング操作
電源制御情報生成部２２は、スケジュール情報３１に定義されたスケジュールの属性（例えば「遂行される場所情報（ロケーション情報）」など）を指定することで、指定属性に該当する時間帯を抽出する。これをフィルタリング操作という。図４（Ｄ）には、遂行場所"デスク"［Location＝"My Desk"］のスケジュール１と"会議室"［Location＝"Meeting Room"］のスケジュール２とが定義されたスケジュール情報３１が示されている。この場合、"デスク"を指定したフィルタリング操作を行うと、スケジュール１に定義されたスケジュール１の時間帯が、スケジュール３として抽出される。
【００７９】
（フィルタリング操作）  スケジュール１  →  スケジュール１´
このようなデータ操作は、例えば、ユーザスケジュール情報３１ｕに対して行うことにより、ユーザがデスクワークを行う時間帯や離席する時間帯などのような、機器の使用可能性が高い時間帯や低い時間帯の両方を抽出することができる。
【００８０】
このように、画像処理装置１００では、電源制御情報生成部２２により、以上のようなデータ操作を、各種スケジュール情報３１に対して行う。これにより、機器が使用される可能性の高い時間帯（電源を通常モードとすべき時間帯）／使用される可能性の低い時間帯（電源を省エネモードとすべき時間帯）それぞれを抽出し、ユーザの機器使用可能性を考慮した電源制御情報３２を生成する。
【００８１】
なお、このように生成された電源制御情報３２は、電源制御情報保持部２３に書き込まれ保持される。
【００８２】
電源制御情報保持部２３は、例えばＨＤＤ１１０などのような記憶装置の所定の記憶領域であり、電源制御時に後述する電源制御実行部２４から、保持する電源制御情報３２がアクセスされる。
【００８３】
（電源制御の実行）
電源制御実行部２４は、当該画像処理装置１００の電源制御を行う機能部である。電源制御実行部２４は、電源制御情報生成部２２が保持する電源制御情報３２を参照し、当該画像処理装置１００が備える電源装置（非図示）に対して電源状態の移行を指示する。具体的には、電源制御情報３２に設定された時刻データに従って、通常モードから省エネモード、又は省エネモードから通常モードへの状態移行を指示する。
【００８４】
なお、電源状態の移行指示は、以下に説明する方法によって、電源制御実行部２４により行われる。
【００８５】
図５は、本実施形態に係るソフトウェア構成例を示す図である。本実施形態に係る画像処理装置１００では、図５に示すようなソフトウェア構成により電源制御部２０が実装される。
【００８６】
電源制御部２０を実現するプログラム（ソフトウェア部品）は、Ｊａｖａ（登録商標）アプリケーションソフトウェアである。そのため、Ｊａｖａ（登録商標）アプリケーションの開発をする際に必要となる、ライブラリ、各種サンプル、ツール、ドキュメントなどで構成されたソフトウェア開発者向けのキットであるＳＤＫＪ（Software Development Kit for Java）４２上に実装される。また、ＳＤＫＪ４２は、Ｊａｖａ（登録商標）バイトコードをプラットフォームＰＦのネイティブコード（実行可能なコード）に変換して実行するソフトウェアであるＪａｖａ（登録商標）ＶＭ（Java Virtual Machine）４１上に実装される。また、Ｊａｖａ（登録商標）ＶＭ４１は、画像処理装置１００が搭載するプラットフォームＰＦ上に実装される。
【００８７】
なお、上記プラットフォームＰＦは、コントロールサービス（ＣＳ：Control Service）、システムリソースマネージャ（ＳＲＭ：System Resource Manager）、及びＯＳ（Operating System）などを含む。コントロールサービスは、アプリケーションからの処理要求を解釈してハードウェア資源の獲得要求（例えば「メモリの確保」など）を発生させる。システムリソースマネージャは、１つ又は複数のハードウェア資源の管理を行い、コントロールサービスからの獲得要求を調停する。
【００８８】
また、ソフトウェア構成は、上記構成に限らず、ＳＤＫＪ４２を含まない構成であってもよい。ただし、以降の説明では、便宜上、電源制御部２０を実現するプログラムがＳＤＫＪ４２上に実装される構成を例に挙げる。
【００８９】
画像処理装置１００では、上記ソフトウェア構成により、電源制御部２０を実現するプログラムは、当該画像処理装置１００が備える各種ハードウェア５１と、ＳＮＭＰ（Simple Network Management Protocol）を用いたデータ処理を行うことができる。つまり、電源制御部２０がＳＮＭＰマネージャ機能を有し、一方、ハードウェア５１がＳＮＭＰエージェント機能を有する。
【００９０】
エージェントは、自身（当該画像処理装置１００）の状態を外部に知らせるために公開する情報を保持している。この情報を、ＭＩＢ（Management Information Base）と言う。ＭＩＢは木構造のデータ構造をしており、全てのノードが一意に番号付けされている。このノードの識別子のことを、オブジェクト識別子（OBJECT IDENTIFIER）と言う。
【００９１】
このＭＩＢの構造は、管理情報構造（ＳＭＩ：Structure of Management Information）と言い、ＲＦＣ１１５５  Structure and Identification of Management Information for TCP/IP-based Internetsで規定されている。
【００９２】
これらの情報設定方法についての詳細は、以下の通りである。
【００９３】
ＳＮＭＰには、"SetRequest"と呼ばれるコマンドがある。"SetRequest"は、マネージャがエージェントのＭＩＢオブジェクトの値を設定するために、エージェントに対して送出するコマンドである。このコマンドを受け取ったエージェントは、設定結果をマネージャに通知するために、マネージャに対してレスポンスを返す。
【００９４】
よって、電源制御部２０を実現するプログラムは、マネージャとして動作し、ＳＮＭＰのコマンドを用いて、現在エージェントに設定されている値に対して、新たな値の設定を指示することができる。具体的には、電源制御部２０を実現するプログラムが、新たな値をＭＩＢオブジェクトの値を"SetRequest"によりエージェント機能を有するハードウェア５１に送出する。エージェントは受け取った値に基づいてハードウェア５１の内部設定を変更したり情報を保持したりする。
【００９５】
電源制御実行部２４では、上記方法により、当該画像処理装置１００が備える電源装置（非図示）に対して電源状態を移行する制御値を設定し、電源制御の実行を指示する。
【００９６】
このように、画像処理装置１００では、電源制御実行部２４により、各種スケジュール情報３１から判断したユーザの機器使用可能性に応じて、電源制御を行う。
【００９７】
以上のように、画像処理装置１００では、スケジュール情報取得部２１により、ユーザ単位、グループ単位、オフィシャル単位といった複数のスケジュール情報３１を取得する。続いて、電源制御情報生成部２２により、取得した各種スケジュール情報３１に基づきユーザの機器使用可能性を考慮した電源制御情報３２を生成する。続いて、電源制御実行部２４により、生成された電源制御情報３２に設定される時刻データに従って、電源制御の実行（通常モード／省エネモードへの移行）を指示する。このような電源制御機能を実現することができる。
【００９８】
《機能動作》
ここからは、上記に説明を行った各機能部による動作について説明する。電源制御機能は、画像処理装置１００に搭載（インストール）される電源制御プログラム（ソフトウェア部品）が、ＣＰＵ１０８により格納先（例えば「ＲＯＭ１０５」など）からＲＡＭ１０６に読み出され、以下の処理が実行されることで実現される。
【００９９】
なお、以下の処理手順の説明では、便宜上、電源制御機能における「スケジュール情報の取得・電源制御情報の生成」及び「電源制御の実行」の各処理を分けて説明する。
【０１００】
（スケジュール情報の取得・電源制御情報の生成）
図６は、本実施形態に係るスケジュール情報３１の取得と電源制御情報３２の生成に関する処理手順例を示すフローチャートである。
【０１０１】
図６に示すように、画像処理装置１００は、スケジュール情報取得部２１により、ユーザ端末であるＰＣ２００やスケジュール管理装置３００などの外部装置から各種スケジュール情報３１を取得する（ステップＳ１０１）。例えば、ＰＣ２００からはユーザスケジュール情報３１ｕ、スケジュール管理装置３００からはグループスケジュール情報３１ｇ、オフィシャルスケジュール情報３１ｏ、及びメンテナンス情報３１ｍが取得される。また、スケジュール情報取得部２１は、所定の時間間隔に従って外部装置から最新のスケジュール情報３１を取得する。
【０１０２】
続いて、画像処理装置１００は、電源制御情報生成部２２により、スケジュール情報取得部２１で取得された各種スケジュール情報３１から、ユーザの機器使用可能性を考慮した電源制御情報３２を生成する（ステップＳ１０２）。なお、ステップＳ１０２における情報生成処理については、図７、図８、及び図９を用いて、情報生成時のデータ遷移例を基に後述する。
【０１０３】
画像処理装置１００は、電源制御情報生成部２２により生成した電源制御情報３２を、記憶装置の所定の記憶領域にあたる電源制御情報保持部２３へ書き込み、現在保持されている情報を更新する（ステップＳ１０３）。
【０１０４】
（電源制御情報の詳細な生成方法）
図７は、本実施形態に係る電源制御情報３２を生成する処理手順例を示すフローチャートである。また、図８及び図９は、本実施形態に係る生成時の電源制御情報３２のデータ例（その１及びその２）を示す図である。
【０１０５】
図７に示すように、上記ステップＳ１０２の情報生成処理は、次のような手順により行われる。
【０１０６】
電源制御情報生成部２２は、まず、取得された全てのユーザスケジュール情報３１ｕに対して、遂行場所"デスク以外"［Location！＝"My Desk"］を指定するフィルタリング操作を行う（ステップＳ２０１）。続いて、フィルタリング操作により抽出されたユーザのスケジュール全て（図８（Ａ）に示すユーザスケジュールＰ１からユーザスケジュールＰｎ）に対してＡＮＤ操作（Ｐ＝Ｐ１∩Ｐ２∩・・・∩Ｐｎ）を行う（ステップＳ２０２）。これにより、複数のユーザが離席する時間帯である機器の使用可能性が低い時間帯を抽出する。
【０１０７】
続いて、電源制御情報生成部２２は、取得された全てのグループスケジュール情報３１ｇに対して、遂行場所"会議室"［Location＝"Meeting Room"］を指定するフィルタリング操作を行う（ステップＳ２０３）。続いて、フィルタリング操作により抽出されたグループのスケジュール（図８（Ｂ）に示すグループスケジュールＧ）と、ステップＳ２０３のＡＮＤ操作により抽出したスケジュール（Ｐ）とを、ＯＲ操作（ＰＧ＝Ｐ∪Ｇ）する（ステップＳ２０４）。これにより、グループによる会議開催の時間帯をさらに含む機器の使用可能性が低い時間帯を抽出する。
【０１０８】
続いて、電源制御情報生成部２２は、取得されたメンテナンススケジュール情報３１ｍに対して、メンテナンスが行われる機器［Summary＝"MFP01"］を指定するフィルタリング操作を行う（ステップＳ２０５）。続いて、フィルタリング操作により抽出されたＭＦＰ０１のメンテナンススケジュール（図９（Ａ）に示すメンテナンススケジュールＭ（inverted））に対して、ＮＯＴ操作（Ｍ（inverted）＝¬Ｍ）を行う（ステップＳ２０６）。これにより、ＭＦＰ０１において、メンテナンスを実行する時間帯以外の時間帯を抽出する。
【０１０９】
続いて、電源制御情報生成部２２は、ステップＳ２０６のＮＯＴ操作により抽出したスケジュール（Ｍ（inverted））と、ステップＳ２０４のＡＮＤ操作により抽出したスケジュール（ＰＧ）とを、ＡＮＤ操作（ＰＧＭ＝Ｍ（inverted）∩（ＰＧ））する（ステップＳ２０７）。これにより、メンテナンスを実行する時間帯以外の時間帯の中で、機器の使用可能性が低い時間帯を抽出する。
【０１１０】
続いて、電源制御情報生成部２２は、取得されたオフィシャルスケジュール情報３１ｏに対して、ＮＯＴ操作（Ｗ（inverted）＝¬Ｗ）を行う（ステップＳ２０８）。これにより、就業時間帯以外の時間帯を抽出する。
【０１１１】
続いて、電源制御情報生成部２２は、ステップＳ２０８のＮＯＴ操作により抽出したスケジュール（Ｗ（inverted））と、ステップＳ２０７のＡＮＤ操作により抽出したスケジュール（ＰＧＭ）とを、ＯＲ操作（ＰＧＭＷ＝Ｗ（inverted）∪（ＰＧＭ））する（ステップＳ２０９）。これにより、ＭＦＰ０１のメンテナンス実行時間帯及び就業時間帯以外の時間帯を含む、電源制御が実行可能な時間帯の中で、機器の使用可能性が低い時間帯を抽出する。
【０１１２】
以上のように、画像処理装置１００では、電源制御情報生成部２２により、機器の使用可能性が低い時間帯及びそれ以外の時間帯、すなわち機器の使用可能性が高い時間帯との両方のスケジュールを抽出することができる。このようにして抽出されたスケジュール（ＰＧＭＷ）は、１つ又は複数の開始・終了時刻［Time］の各データで構成される電源制御情報３２として電源制御情報保持部２３へと記録される。
【０１１３】
なお、上記ステップＳ２０８には、平日（Weekday）の始業・終業時刻（勤務時間帯）が定義されたオフィシャルスケジュール情報３１ｏのデータ操作例（ＮＯＴ操作）が示されているが、この限りでない。
【０１１４】
ステップＳ２０８で行うデータ操作は、オフィシャルスケジュール情報３１ｏの定義内容に応じて異なるデータ操作を行うものである。
【０１１５】
例えば、オフィシャルスケジュール情報３１ｏが、休日（Holiday）やフレッシュアップディーなどの場合には、平日の勤務時間帯と異なり、画像処理装置１００を使用しない時間帯が定義されている。よって、ステップＳ２０８のデータ操作（ＮＯＴ操作）を行わず、ステップＳ２０９においてＯＲ操作を行うのみとなる。
【０１１６】
よって、このようなオフィシャルスケジュール情報３１ｏに応じたデータ操作を行うために、電源制御情報生成部２２では、オフィシャルスケジュール情報３１ｏの種別を判定し、データ操作を行う。
【０１１７】
（電源制御の実行）
図１０は、本実施形態に係る電源制御の実行を指示する処理手順例を示すフローチャートである。
【０１１８】
図１０に示すように、画像処理装置１００は、電源制御実行部２４により、電源制御情報保持部２３にアクセスし、上記ステップＳ２０１からＳ２０９の処理手順により生成された電源制御情報３２を参照する（ステップＳ３０１）。電源制御情報３２を参照するタイミングは、電源投入後や情報更新後などである。また、情報更新後の場合には、電源制御情報生成部２２からの指示を受け付けることで判断できる。
【０１１９】
続いて、画像処理装置１００は、電源制御実行部２４により、電源制御情報３２に設定された時刻データと現在時刻とに従って、当該画像処理装置１００が備える電源装置（非図示）に対して電源状態の移行を指示する（ステップＳ３０２）。またこのとき、電源制御実行部２４は、通常モードから省エネモード、又は省エネモードから通常モードへの状態移行を指示する。ここで、ステップＳ３０２における電源制御情報３２に基づく電源制御処理について、図１１を用いて、電源制御時のデータ遷移例を基に説明する。
【０１２０】
図１１は、本実施形態に係る電源制御時の動作例を示す図である。
【０１２１】
電源制御情報生成部２２により生成された電源制御情報３２が、図１１に示すスケジュール（ＰＧＭＷ）であった場合、現在時刻が９：００になると、画像処理装置１００の電源装置（非図示）に対して、省エネモードからの復帰（通常モード状態への移行）を指示する。また、現在時刻が１０：００になると、省エネモード状態への移行（通常モードから省エネモードへの状態移行）を指示する。さらに、現在時刻が１１：００になると、再び、省エネモードからの復帰を指示する。最後に、現在時刻が１８：００になると、省エネモード状態への移行を指示する。
【０１２２】
そこで、通常モードから省エネモードへの状態移行を指示する場合には（ステップＳ３０２：ＹＥＳ）、まず、当該画像処理装置１００が通常モードの電源状態であるか否かを確認する（ステップＳ３０３）。
【０１２３】
ステップＳ３０３において、通常モードの電源状態であることが確認されると（ステップＳ３０３：ＹＥＳ）、続いて、未処理のジョブ実行要求を一時保持しているキューを参照し、処理完了していないジョブが存在するか否かを確認する（ステップＳ３０４）。
【０１２４】
ステップＳ３０４において、処理完了していないジョブ（未処理のジョブ）が存在していることが確認されると（ステップＳ３０４：ＹＥＳ）、キューに保持されている全てのジョブの処理が完了するまで、電源制御の実行を待つ。
【０１２５】
ステップＳ３０４において、要求を受け付けた全てのジョブについて処理が完了したことが確認されると（ステップＳ３０４：ＮＯ）、当該画像処理装置１００が備える電源装置（非図示）に対して電源を通常モードから省エネモードへの状態へ移行する制御値を設定し、電源制御の実行を指示する（ステップＳ３０５）。
【０１２６】
一方、ステップＳ３０３において、省エネモードの電源状態であることが確認されると（ステップＳ３０３：ＮＯ）、電源制御実行部２４は、現在の電源状態を維持したまま、電源制御を行わない。
【０１２７】
また、省エネモードから通常モードへの状態移行を指示する場合には（ステップＳ３０２：ＮＯ）、当該画像処理装置１００が省エネモードの電源状態であるか否かを確認する（ステップＳ３０６）。
【０１２８】
ステップＳ３０６において、省エネモードの電源状態であることが確認されると（ステップＳ３０６：ＹＥＳ）、当該画像処理装置１００が備える電源装置（非図示）に対して電源を省エネモードから通常モードへの状態へ移行する制御値を設定し、電源制御の実行を指示する（ステップＳ３０７）。
【０１２９】
一方、ステップＳ３０６において、通常モードの電源状態であることが確認されると（ステップＳ３０６：ＮＯ）、電源制御実行部２４は、現在の電源状態を維持したまま、電源制御を行わない。
【０１３０】
以上のように、本実施形態に係る画像処理装置１００は、各種スケジュール情報３１から判断したユーザの機器使用可能性に応じて電源制御を行うことができる。
【０１３１】
＜変形例＞
ここで、ユーザの機器使用可能性を判断する他の情報例について説明する。
【０１３２】
図１２は、本発明の変形例に係る動作環境例を示す図である。
【０１３３】
まず、図１２に示す動作環境では、１台又は複数のＰＣ２００とデータ通信可能なタスク管理装置（タスク管理サーバ）４００が、所定のデータ伝送路で画像処理装置１００と接続されている。なお、本変形例においても、図２と同様に、タスク管理装置４００に接続される装置は、ＰＣ２００だけでなく、各種サーバやモバイル端末（例えば「ＰＤＡ」や「携帯電話」など）を含む任意の情報処理装置であってもよい。
【０１３４】
タスク管理装置４００は、例えば、日常業務内の定型業務の手続きを定義し、業務遂行を自動化したワークフローや、ユーザなどの作業者が行うべき作業内容を示すタスクなどを管理するサーバ機能を有する装置である。
【０１３５】
画像処理装置１００は、上記動作環境において、スケジュール情報取得部２１により、タスク管理装置４００から登録済みのタスクやワークフローに関する情報を取得する。取得した情報には、遂行予定のタスクやワークフローにおいて使用する機器に関する情報が含まれている。
【０１３６】
このようなことから、画像処理装置１００は、電源制御情報生成部２２により、他のスケジュール情報３１とともに、取得したタスクやワークフローに関する情報から、遂行予定のタスクやワークフローにおける機器使用可能性を考慮した電源制御情報３２を生成するようにしてもよい。
【０１３７】
＜まとめ＞
以上のように、本実施形態によれば、本実施形態に係る機器管理装置１００は、電源制御情報生成部２２により、ユーザ、グループ、オフィシャルといった複数のスケジュール情報３１から、ユーザの機器使用可能性を考慮した電源制御情報３２を生成する。続いて、電源制御実行部２４により、生成された電源制御情報３２に設定される時刻データに従って、電源制御の実行（通常モード／省エネモードへの移行）を指示する。
【０１３８】
その結果、画像処理装置１００は、ユーザの機器使用可能性に応じて無駄な消費電力を削減することができ、機器全体の電力消費量を低減することができる。
【０１３９】
ここまで、上記実施形態に基づき本発明の説明を行ってきたが、上記実施形態に係る画像処理装置１００が有する「電源制御機能」は、図を用いて説明を行った各処理手順を、動作環境（プラットフォーム）にあったプログラミング言語でコード化したプログラムとしてＣＰＵ１０８により実行することで実現される。よって、上記プログラムは、コンピュータが読み取り可能な記録媒体１０４に格納することができる。
【０１４０】
また、上記プログラムは、フロッピー（登録商標）ディスク、ＣＤ（Compact Disk）、ＤＶＤ（Digital Versatile Disk）、ＳＤメモリカード、ＵＳＢメモリなどの記録媒体１０４に記憶させることによって、これらの記録媒体１０４を読み取り可能な外部記憶Ｉ／Ｆ１２を介して画像処理装置１００にインストールすることができる。また、画像処理装置１００は、データ通信Ｉ／Ｆ１４を備えていることから、インターネットなどの電気通信回線を用いて上記プログラムをダウンロードし、インストールすることもできる。
【０１４１】
また、上記実施形態では、電源制御情報３２を、画像処理装置１００が備える記憶装置（例えば「ＨＤＤ１１０」など）に保持する構成（電源制御情報保持部２３を有する構成）について説明を行ったが、この限りでない。例えば、ＳＤメモリカードやＵＳＢメモリなどが保持する制御情報３２を、外部記憶Ｉ／Ｆ１２を介して読み取り、電源状態を制御する際に用いることもできる。さらに、画像処理装置１００が備えるデータ通信Ｉ／Ｆ１４を介して、所定のデータ伝送路により接続される外部装置が保持する制御情報３２を、電源状態を制御する際に用いることもできる。
【０１４２】
最後に、上記実施形態に挙げた形状や構成に、その他の要素との組み合わせなど、ここで示した要件に、本発明が限定されるものではない。これらの点に関しては、本発明の主旨をそこなわない範囲で変更することが可能であり、その応用形態に応じて適切に定めることができる。
【図面の簡単な説明】
【０１４３】
【図１】本発明の第１の実施形態に係る画像処理装置のハードウェア構成例を示す図である。
【図２】本発明の第１の実施形態に係る画像処理装置の動作環境例を示す図である。
【図３】本発明の第１の実施形態に係る電源制御機能の構成例を示す図である。
【図４】本発明の第１の実施形態に係るスケジュール情報のデータ操作例を示す図である。
【図５】本発明の第１の実施形態に係るソフトウェア構成例を示す図である。
【図６】本発明の第１の実施形態に係るスケジュール情報の取得と電源制御情報の生成に関する処理手順例を示すフローチャートである。
【図７】本発明の第１の実施形態に係る電源制御情報を生成する処理手順例を示すフローチャートである。
【図８】本発明の第１の実施形態に係る生成時の電源制御情報のデータ例（その１）を示す図である。
【図９】本発明の第１の実施形態に係る生成時の電源制御情報のデータ例（その２）を示す図である。
【図１０】本発明の第１の実施形態に係る電源制御の実行を指示する処理手順例を示すフローチャートである。
【図１１】本発明の第１の実施形態に係る電源制御時の動作例を示す図である。
【図１２】本発明の変形例に係る動作環境例を示す図である。
【符号の説明】
【０１４４】
２０    電源制御部
２１    スケジュール情報取得部
２２    電源制御情報生成部
２３    電源制御情報保持部
２４    電源制御実行部
３１    スケジュール情報（ｕ：ユーザ，ｇ：グループ，ｏ：オフィシャル，ｍ：メンテナンス）
３２    電源制御情報
４１    ソフトウェア（ＪａｖａＶＭ）
４２    ソフトウェア（ＳＤＫＪ）
５１    ハードウェア
１００  画像処理装置
１１    操作パネル
１０１  入力装置
１０２  表示装置
１２    外部記憶Ｉ／Ｆ
１０４  記録媒体
１３    コントローラ
１０５  ＲＯＭ（不揮発性の半導体メモリ）
１０６  ＲＡＭ（揮発性の半導体メモリ）
１０７  ＮＶ−ＲＡＭ（不揮発性の半導体メモリ）
１０８  ＣＰＵ（中央処理装置）
１４    データ通信Ｉ／Ｆ
１０９  インタフェース装置
１１０  ＨＤＤ（不揮発性の記憶装置）
１５    スキャナ
１１１  画像読取装置（スキャナ装置）
１６    プロッタ
１１２  印刷装置（プロッタ装置）
２００  クライアントＰＣ（情報処理装置）
３００  スケジュール管理装置（スケジュール管理サーバ）
４００  タスク管理装置（タスク管理サーバ）
ＰＦ    プラットフォーム
【図１】
2010154318.tif 000003
【図２】
2010154318.tif 000004
【図３】
2010154318.tif 000005
【図４】
2010154318.tif 000006
【図５】
2010154318.tif 000007
【図６】
2010154318.tif 000008
【図７】
2010154318.tif 000009
【図８】
2010154318.tif 000010
【図９】
2010154318.tif 000011
【図１０】
2010154318.tif 000012
【図１１】
2010154318.tif 000013
【図１２】
2010154318.tif 000014